(57)【特許請求の範囲】
【請求項１】
ソール（２）と、前記ソール（２）から立ち上がるアッパー（３）とを備えるサイクリングシューズであって、前記アッパー（３）の表面（１９）は、ペダルを踏む動きが行われている間に、空気が衝突して起こる前記アッパー（３）の形状抗力を低減することに適した複数のくぼみ（２０）を備え、
複数の前記くぼみ（２０）の一部は、前記アッパー（３）の前方領域において分布し、
前記アッパー（３）の前記前方領域において分布した前記くぼみ（２０）は、前記アッパー（３）の他の領域のくぼみよりも大きい面積を有し、
前記くぼみ（２０）は、前記サイクリングシューズの長手方向の軸に沿って伸ばされた楕円形または多角形の形状を有することを特徴とする、サイクリングシューズ。
【請求項２】
複数の前記くぼみ（２０）の一部は、前記アッパー（３）を通過する貫通した開口部からなる、請求項１のいずれか一項に記載のシューズ。
【請求項３】
前記アッパー（３）は、ヒール（８）を備え、前記ヒール（８）には、前記ヒール（８）の厚み部分にもたらされた少なくとも１つのチャネル（２１ａ、２１ｂ）が設けられ、前記少なくとも１つのチャネル（２１ａ、２１ｂ）は、前記アッパー（３）の形状抗力をさらに低減するために、ペダルを踏む間に、前記アッパー（３）に衝突した空気を導くことに適する、請求項１又は２に記載のシューズ。
【請求項４】
前記少なくとも１つのチャネル（２１ａ、２１ｂ）は、第１のチャネル（２１ａ）と第２のチャネル（２１ｂ）とを備え、前記第１のチャネル（２１ａ）と前記第２のチャネル（２１ｂ）は、前記ヒール（８）の厚み部分にもたらされ、前記アッパー（３）に衝突する空気を導くことに適し、前記第１のチャネル（２１ａ）と前記第２のチャネル（２１ｂ）とは、前記ヒール（８）の外側と内側とにそれぞれ配列される、請求項３に記載のシューズ。
【請求項５】
前記第１のチャネル（２１ａ）と前記第２のチャネル（２１ｂ）とは、前記ヒール（８）によって形作られたそれぞれのブリッジ（２２ａ、２２ｂ）によって画定され、前記ブリッジ（２２ａ、２２ｂ）は、前記ソール（２）の支持面に対して垂直方向に配列される、請求項４に記載のシューズ。
【請求項６】
前記ソール（２）は、それぞれのチャネリング（３１）を備えるヒールピース（３０）を備え、前記チャネリング（３１）は、形状抗力を低減するように、所定の経路を通って、前記サイクリングシューズに衝突する空気を運ぶことに適する、請求項５に記載のシューズ。
【請求項７】
前記チャネリング（３１）は、第１の分枝（３２）と第２の分枝（３３）とを備える、請求項６に記載のシューズ。
【請求項８】
前記第１の分枝（３２）と第２の分枝（３３）とは、前記ヒールピース（３０）の側面の第１の開口部（３２ａ）と第２の開口部（３３ａ）とにおいてそれぞれ開口する、請求項７に記載のシューズ。
【請求項９】
前記第１の分枝（３２）と第２の分枝（３３）とは、前記ヒールピース（３０）の単一の後方逃げ溝（３４）と連通する、請求項８に記載のシューズ。
【請求項１０】
前記ヒールピース（３０）は、連続的な表面を画定するように、前記ソール（２）の下側面（２ａ）に接合するような形状を有し、前記ヒールピース（３０）は、前記ソール（２）の前記下側面（２ａ）の後方領域のくぼみ（６４）と取外し可能に係合される、請求項６〜請求項９のいずれか一項に記載のシューズ。
【請求項１１】
前記ソール（２）に前記ヒールピース（３０）を固定するための手段（６０）を備える、請求項１０に記載のシューズ。
【請求項１２】
前記固定するための手段（６０）は、前記ヒールピース（３０）の貫通孔（６２）に挿入される少なくとも１つのネジ（６１）を備え、前記少なくとも１つのネジ（６１）は、前記下側面（２ａ）の前記後方領域の母ネジ（６３）で係合される、請求項１１に記載のシューズ。
【請求項１３】
前記固定するための手段（６０）は、前記ヒールピース（３０）の少なくとも１つの付属器（６５）を備え、前記少なくとも１つの付属器（６５）は、前記くぼみ（６４）の対応する座（６６）に取外し可能な方法で係合することに適する、請求項１１に記載のシューズ。
【請求項１４】
前記固定するための手段（６０）は、前記ソール（２）の前記くぼみ（６４）の少なくとも１つの付属器（６５）を備え、前記少なくとも１つの付属器（６５）は、前記ヒールピース（３０）の対応する座部（６６）に取外し可能な方法で係合することに適する、請求項１１に記載のシューズ。
【発明の詳細な説明】
【技術分野】
【０００１】
本発明は、サイクリングシューズに関する。
【背景技術】
【０００２】
サイクリング業界において、特に、プロのレースレベルにおいて、サイクリストの自転車と衣服との両方が、重量を低減し空気力学的特性を改善するための継続的な調査および研究の主題であることが公知である。
【０００３】
特に、サイクリングシューズに関しては、今日まで、主な目的が、一方では重量を低減することであり、他方ではサイクリストの快適性を増加させることである様々なシューズが提案されてきた。
【０００４】
特に、ペダルを踏む回転運動を行う間に大きな乱流が通常発生させられる中央の運動領域に関して、人間−自転車系の空気力学的挙動には、同じ注意が捧げられていない。
【０００５】
したがって、通常低重量であると共に使用者に対して高快適性であるという必要性に加えて、ペダルを踏むときに空気力学的観点から最適な性能をも提供することができるサイクリングシューズを有する必要性が生じる。
【発明の概要】
【発明が解決しようとする課題】
【０００６】
本発明の技術的課題は、従来技術を改善することである。
【課題を解決するための手段】
【０００７】
この課題の範囲内で、本発明の目的は、特に中央運動領域において、人間−自転車系の空気力学的性能を改善することを可能にすることができるサイクリングシューズを提供することである。
【０００８】
この課題とこれらの目的とは、添付の請求項１に従ったサイクリングシューズによって達成される。
【０００９】
本発明の一局面に従って、シューズのアッパーの表面は、アッパーの前方領域において特に分布する複数のくぼみを備え、複数のくぼみは、アッパーの形状抗力を低減することに適する。
【００１０】
本発明の別の局面に従って、アッパーのヒールは、シューズに打撃を与える空気を伝えるためのそれぞれのチャネルを備え、それぞれのチャネルは、シューズの形状抗力の低減に寄与する。
【００１１】
本発明のさらなる局面に従って、シューズのソールのヒールは、空気を伝えるためのチャネルを備え、空気を伝えるためのチャネルは、やはりシューズの形状抗力の低減に寄与する。
【００１２】
従属請求項は、本発明の好適な実施形態と有利な実施形態とに言及する。
【００１３】
本発明の他の特性と他の利点とが、添付の図面に例として明示された、シューズの実施形態の記載からさらに明らかとなる。
【図面の簡単な説明】
【００１４】
【図１】本発明に従ったシューズの側面図である。
【図２】シューズの透視図である。
【図３】シューズの後面図である。
【図４】シューズの分解透視図である。
【図５】ペダルを踏むときの、シューズの空気力学的挙動を概略的に示す、シューズの側面図である。
【図６】ペダルを踏むときの、シューズの空気力学的挙動を概略的に示す、シューズの後面透視図である。
【図７】シューズの底面図である。
【図８】本発明に従ったシューズの別の実施形態の詳細な側面図である。
【図９】本発明の別の実施形態におけるシューズの後方部の詳細な側面図である。
【図１０】図９の実施形態に従ったシューズの後面図である。
【図１１】本発明のさらに別の実施形態におけるシューズの後方部の詳細な側面図である。
【図１２】図１１の実施形態に従ったシューズの後面図である。
【図１３】公知の種類のサイクリングシューズに関するコンピュータ実装の空気力学的模擬によって達成された結果の代表的な写真である。
【図１４】図１３と同じシューズに対する空気力学的模擬の異なる角度からの別の写真である。
【図１５】公知の種類の別のサイクリングシューズに関するコンピュータ実装の空気力学的模擬によって達成された結果の代表的な写真である。
【図１６】公知の種類のさらに別のサイクリングシューズに関するコンピュータ実装の空気力学的模擬によって達成された結果の代表的な写真である。
【図１７】図１６と同じシューズに対する空気力学的模擬の異なる角度からの別の写真である。
【図１８】本発明に従ったサイクリングシューズに関するコンピュータ実装の空気力学的模擬によって達成された結果の代表的な写真である。
【図１９】本発明に従ったサイクリングシューズに対する空気力学的模擬の異なる角度からの別の写真である。
【発明を実施するための形態】
【００１５】
添付の図面において、等しい部分または構成要素は、同じ参照番号によって区別される。
【００１６】
添付の図面を参照すると、本発明に従ったサイクリングシューズは、その全体が１で示される。
【００１７】
シューズ１は、ソール２を備える。
シューズ１はまた、アッパー３を備える。
アッパー３は、ソール２から立ち上がる。
【００１８】
以下でさらに良く明確にされるように、アッパー３は、少なくとも部分的には相互に（すなわち、他方に対して）動かすことができる２つ以上の部分３ａ、３ｂを備える。
【００１９】
特に、アッパー３は、シューズ１の中の足のための筐体の幅または容積ＲＺを調節するために、固定部分３ａと、固定部分３ａに対して少なくとも部分的には動かすことができる可動部分３ｂとを備える。
【００２０】
相互に動かすことができる部分に関して、それらは、他方に対して動かすことができるものであり、それらは、両方とも可動であり得るか、または一方が固定され、他方が一方に対して可動である。
【００２１】
さらに、アッパー３はまた、中核部３ｃを備える。
【００２２】
中核部３ｃは、筐体容積ＲＺを定める。中核部の周囲に、相互に動かすことができる部分３ａ、３ｂが設置される。
【００２３】
さらに詳細には、本発明の実施形態において、相互に動かすことができる部分３ａ、３ｂは、マスク構成要素によって構成され、マスク構成要素は、中核部３ｃの周囲に設置され、そして中核部３ｃを覆うか、または中核部３ｃを包み、こうした場合において、相互に動かすことができる部分３ａ、３ｂを相互に動かすことで、中核部３ｃの形状または構成を改変する（例えば、中核部３ｃが狭くされ得る）ことにより、筐体容積ＲＺを変化させることを可能にする。
【００２４】
これに関して、中核部３ｃは、柔軟な材料、例えば、ゴム、または別の同様な材料を使用して取得されてもよい。
【００２５】
中核部３ｃが作られる材料は、例えば、約５０と約７０の間で構成されるショア００硬度（shore hardness 00）を有してもよい。したがって、その材料は柔軟と分類される。
【００２６】
実際に、材料は通常、以下の通りに分類される（以下の表１を参照されたい）。
−特に柔軟：２０から５０のショア００（例えば、チューインガムおよびラケットボールのボール）、
−柔軟：５０から７０のショア００（例えば、ゴムバンド）、
−中程度に柔軟：７０から８０のショア００（例えば、鉛筆用消しゴム）、
−中程度に硬質：８０から９５のショア００（例えば、タイヤ）、
−硬質：９５よりも高いショア００、または２２から３５のショアＤ（例えば、シューズのヒール）、
−特に硬質：３５から７５を超えるショアＤ（例えば、ショッピングカートの車輪、または硬い材料のキャップ）。
【表１】
0006742244.tif 000002
【００２７】
相互に動かすことができる部分３ａ、３ｂは、中核部３ｃよりも堅い材料で作ることができ、場合によってはプラスチックまたは複合材料で作ることができる。
【００２８】
相互に動かすことができる部分３ａ、３ｂは、非限定的な例に従って、以下でさらに詳細に記載される。
【００２９】
シューズ１は、本発明の一局面に従って、相互に動かすことができる部分３ａ、３ｂを締付ける／解放するための手段４、５を備える。
【００３０】
本発明の一実施形態に従って、締付け／解放の手段４、５は、例えば、場合によっては鋼鉄で作られた１または複数のケーブル要素４、５を備えることができ、明示された例に従うと、２つのケーブル要素４、５を備えることができる。
【００３１】
ケーブル要素４、５は、相互に動かすことができる部分の一方３ｂ、好適には可動部分に固定されたそれぞれの第１の端４ａ、５ａと、相互に動かすことができる部分のうちの他方３ａ、好適には固定部分と調節可能に係合され得るそれぞれの第２の端４ｂ、５ｂとを備える。
【００３２】
本発明の別の局面に従って、シューズ１は、締付け／解放の手段４、５を制御するための手段６、７を備える。
【００３３】
制御手段６、７は、後方部Ｒ、または好適には、シューズ１のヒール８、すなわち使用者の足の踵または後方部を包むことを意図した部分において作動されるか、または配列することができる。
【００３４】
好適には、制御手段６、７は、相互に動かすことができる部分３ａ、３ｂの、長手方向、すなわち前方部Ｆ−後方部Ｒの接近／取外しのための少なくとも１つの構成要素６を含む。
【００３５】
さらに、制御手段６、７は、相互に動かすことができる部分３ａ、３ｂの一方を互いに対して持ち上げる／下げるための構成要素７を備える。
【００３６】
長手方向の接近／取外しの構成要素６は、中核部３ｃが設けられる場合には、前方部Ｆから後方部Ｒに向かって、または後方部Ｒから前方部Ｆに向かって中核部３ｃを係合するために、前方部Ｆ−後方部Ｒの方向で、相互に動かすことができる部分３ａ、３ｂを締付けるための締付け／解放の手段４を制御することを意図される。
【００３７】
好適には、接近／取外しの構成要素６は、中核部３ｃを固定するために、後方部Ｒに向かって、そして固定部分３ａに向かって、または中核部３ｃを広げることを可能にするために、前方部Ｆに向かって、あるいは固定部分３ａから離れるように可動部分３ｂ、または可動部分３ｂの一部を動かすことを意図される。
【００３８】
その代わりに、持ち上げる構成要素７は、２つの部分、またはそれらの一部３ａ、３ｂを相互に垂直方向に固定するために、そして、中核部３ｃが設けられる場合には、底部から上部に向かって、または上部から底部に向かって、部分３ａ、３ｂを通じて中核部３ｃを締付けるために、締付け／解放の手段５を制御することを意図される。
【００３９】
好適には、持ち上げる構成要素７は、中核部３ｃ、例えば、中核部３ｃの先端および前方部を締付けるように底部に向かって、そして固定部分３ａに向かって、または中核部３ｃ、例えば、中核部３ｃの先端および前方部を解放するために、先端に向かって、あるいは固定部分３ａから離れるように、可動部分３ｂ、またはその一部を動かすことを意図される。
【００４０】
またさらに好適には、制御手段は、相互に動かすことができる部分の一方、場合によっては固定部分３ａに設置された少なくとも１つのピニオン構成要素６、７だけでなく、ラック要素９ａ、９ｂをも備え、ラック要素９ａ、９ｂは、一方の側において、相互に動かすことができる部分の他方３ｂに固定されたそれぞれのケーブル要素４、５に拘束され、そして他方の側において、１またはそれぞれのピニオン構成要素６、７によって係合可能である。
【００４１】
ラック要素９ａ、９ｂの第１の端は、例えば、粘着、溶接を通じて、またはこうした第１の端に形成されたスロットにおけるケーブル要素４、５の挿入および係止によって、それぞれのケーブル要素４、５に固定することができる。
【００４２】
ラック要素９ａ、９ｂの他方の端または第２の端は、自由であり得るが、ラック要素の中間部分は、それぞれのピニオン構成要素６、７とかみ合う係合で滑動可能に設置される。
【００４３】
ピニオン構成要素６、７は、実質的に水平方向の軸回りで、すなわち前方部Ｆ−後方部Ｒの方向で、例えば、アッパーに対して横断方向で、そしてピニオン構成要素６、７の外側から内側に向かって回転可能に設置することができるが、ラック要素９ａ、９ｂは、好適には、実質的に水平方向の位置を有し、筐体容積ＲＺ周囲で、ある方向に延伸することができる。
【００４４】
シューズ１のアッパー３は、ヒール８を備える。
【００４５】
ピニオン構成要素６、７は、ヒール８に回転可能に設置することができるが、それぞれのラック９ａ、９ｂは、それぞれのピニオン構成要素６、７とかみ合う係合で滑動可能に誘導される。
【００４６】
こうした目的のために、固定部分３ａは、全体的に、または部分的に、閉じた貝殻状の本体を有することができ、閉じた貝殻状の本体は、ラック要素９ａ、９ｂの滑動および誘導のための適切な形状にされた区画を定め、閉じた貝殻状の本体においては、ピニオン要素６、７がまた突出する。
【００４７】
場合によっては、固定部分３ａの貝殻状（シェル状）の本体は、突出部または浮彫り部を備えることができ、突出部または浮彫り部は、ラック要素９ａ、９ｂのための滑動および誘導の区画を定める。
【００４８】
有利なことに、制御手段６、７の動作を制御することによって、２つの相互に動かすことができる部分３ａ、３ｂの局所的ではない全体的な締付けまたは解放が決定されるように、ケーブル要素４、５は、複数の区画において、可動部分３ｂを係合する。
【００４９】
こうした目的のために、ケーブル要素４は、ケーブル要素４の中間区画または下側区画において可動部分３ｂに拘束され、可動部分３ｂと固定部分３ａとの間、またはこうした部分の一方３ｂの分割された区域３ｂ１と分割された区域３ｂ２との間で１またはそれを超える回数（明示された実施形態に従うと３回）戻すことができる。
【００５０】
これは、例えば、こうした部分３ａ、３ｂにおいて、または部分３ｂの区域３ｂ１、３ｂ２において形成された鳩目（小穴）４１、４２、４３、４４、４５、４６においてケーブル要素４を通過させ、または続けて戻すことによって取得することができる。
【００５１】
ケーブル要素４が、可動部分３ｂの後方縁１３ａに到達し、したがって固定部分３ａの前方縁１２ａに到達し、そこからケーブル要素４が制御手段に伝えられ、したがって、それぞれのラック要素９ａが設けられる場合には、ケーブル要素４ａが、それぞれのラック要素９ａに到達するまで、鳩目４１、４２、４３、４４、４５、４６は、アッパーの異なる高さ、および部分３ａ、３ｂの一方または両方の異なる高さに配列される。
【００５２】
所望される場合には、固定部分３ａおよび／または可動部分３ｂにおいて、ケーブル要素４の誘導および滑動のために、挿入溝を設けることができる。
【００５３】
ケーブル要素４は、長手方向、すなわち前方Ｆ−後方Ｒの、制御手段の接近−取外しのための構成要素６を構成することができる。
【００５４】
ケーブル要素５もまた、可動部分３ｂの前方区画において可動部分３ｂに拘束され、ケーブル要素５が可動部分３ｂの後方縁１３ａに到達し、そこから、ケーブル要素５が、固定部分３ａの前方縁１２ａに向かって伝えられ、それから制御手段に伝えられ、したがって、それぞれのラック要素９ｂが設けられる場合には、それぞれのラック要素９ｂに伝えられるまで、長手方向、すなわち前方Ｆ−後方Ｒの、アッパーの異なる位置を有する区画で配列されたそれぞれの鳩目５１、５２、５３、５４、５５、５６においてケーブル要素５を通過させることによって、可動部分３ｂと固定部分３ａとの間、またはこうした部分の一方３ｂの区域３ｂ１と区域３ｂ２との間で、１またはそれを超える回数（明示された実施形態に従うと３回）戻すことができる。
【００５５】
また、こうした場合において、固定部分３ａおよび／または可動部分３ｂにおいて所望される場合には、ケーブル要素５の挿入および滑動のために、溝を設けることができる。
【００５６】
ケーブル要素５は、相互に動かすことができる部分３ａ、３ｂを相互に持ち上げる−下げるための構成要素７を代表することができる。
【００５７】
図に明示された実施形態に従って、２つのピニオン構成要素６、７が設けられ、各ピニオン構成要素６、７は、それぞれのラック要素９ａ、９ｂの滑動を制御することを意図され、各ラック要素９ａ、９ｂは、それぞれのケーブル要素４、５に固定される。こうした場合において、２つのラック要素９ａ、９ｂは、実質的に水平方向であり得る。
【００５８】
こうした実施形態に従って、第１のケーブル要素４は、使用の間、上方にあり、それぞれのラック要素９ａから始まって固定部分３ａの前方縁１２ａまで、所望される場合には、こうした縁の先端まで延伸させられ、そこから、可動部分３、所望される場合には、可動部分３の先端と係合するまで、第１のケーブル要素４は固定部分３ａを越えて延伸させられる。
【００５９】
１またはそれを超えるピニオン構成要素６、７はまた、外側頭部６ａ、７ａ、すなわち、ソール２の外側に突出する頭部を有することができ、外側頭部７ａから、場合によっては、歯車など（図面には明示されていない）、または歯車が設置される軸が延伸する。
【００６０】
有利なことに、制御手段はまた、ピニオン構成要素６の回転を制御するためのレバー１０を備え、レバー１０は、弾性的に負荷をかけることができる。
【００６１】
好適には、制御レバー１０は、弾性的に負荷をかけられるが、結果として生じる、ピニオン構成要素６の回転に伴う、制御レバー１０のそれぞれの角度のある運動または作動の後に、制御レバー１０が、実質的に垂直な位置および上方向に延伸させられた自由把持部分を有する休止位置に戻るように、制御レバー１０は、ピニオン構成要素６の回転を制御した後に、それぞれのピニオン構成要素６から脱係合される。したがって、制御レバー１０は、位置戻しバネを有する「ラチェット」または「ラチェットキー」の種類のものであることができ、ピニオン構成要素６の一定のピッチとのスナップ式の調節を可能にする。こうした方法のおかげで、使用者はレバー１０の位置（例えば、実質的に垂直な位置）を常に知り、スポーツを行う間、例えば、ペダルを踏む間にも適切にレバー１０に手を伸ばしてレバー１０を制御することができる。
【００６２】
有利なことに、制御レバー１０は、使用者、例えば、使用者の親指のために簡単な把持表面を提供するために、実質的に湾曲させられ、例えば、らせん状にされる。
【００６３】
あるいは、ピニオン構成要素７の外側頭部７ａにおいて、作動ツール、例えば、ねじ回しまたは六角レンチの係合ための座７ｂが、定められてもよい。
【００６４】
さらに、ピニオン構成要素６は、（相互に動かすことができる部分３ａ、３ｂが、図６におけるように配列され、したがって筐体のサイズ、すなわち容積ＲＺを低減させないように互いに対して緩く拘束される）休止位置と、（相互に動かすことができる部分３ａ、３ｂが、図１のように配列され、すなわち、筐体のサイズ、すなわち容積ＲＺを低減させるように、または使用者の足の特定のサイズに適合させるように堅く拘束される）作業位置との間で動かすことができるものであり得、こうした作業位置に関しては、ピニオン６が、休止位置に対して回転させられ、ピニオン６を休止位置に連れ戻すことを意図されたボタン１１が、ピニオン６を解放するために設けられる。
【００６５】
図１に例として明示された相互に動かすことができる部分３ａ、３ｂに関して、相互に動かすことができる部分３ａ、３ｂは、場合によってはＵ形状、例えば、断面が下方向に増加する、実質的に前方のタン部３ｂだけでなく、横方向の後方部３ａをも備えることができ、実質的に前方のタン部３ｂと横方向の後方部３ａとは、互いに対して拘束することができる。
【００６６】
タン部（突部）３ｂは、２つの後方縁１３ａ、１３ｂを有することができ、シューズの一方の側、すなわち内側に一方の後方縁１３ｂ、シューズの他方の側、すなわち外側に他方の縁１３ａを有することができ、２つの後方縁１３ａ、１３ｂは、横方向の後方部３ａに固定され、可能であれば、それぞれの前方縁１２ａ、１２ｂに固定され（固定部分３ａの一方の側に一方の前方縁、他方の側に他方の前方縁）、タン部３ｂは、ソール２に固定された下方縁１４も有することができる。好適には、シューズの外側、すなわち、使用の間に、使用者によって着用された他方のシューズから離れて他方のシューズに向かわないように導かれる側におけるタン部３ｂにおいて、溝１５を、その中に２つの内側縁１６、１７を定めるように形成することができ、それぞれの内側縁１６、１７は、２つの区域３ｂ１、３ｂ２に属するが、相互に動かすことができる部分のための締付け−解放手段４、５は、タン部３ｂの内側縁１６、１７を締付け−解放することを意図され、結果として、可動部分３ｂの一方の区域３ｂ２を他方の区域３ｂ１に対して締付け−解放し、それにより固定部分３ａに対して締付け−解放することを意図される。
【００６７】
溝１５はタン部３ｂの自由上方縁１８からタン部分３ｂの先端まで延伸することができる。さらに詳細には、溝１５は、第１の区域１５ａを有することができ、第１の区域１５ａは、上方縁１８から延伸させられ、わずかに傾斜して進み、またはより進んだ位置もしくは上方端に対して前方Ｆ付近で下方端を有し、さらに溝１５は、ソール２に対して実質的に水平、または平行な第２の区域１５ｂを有することができる。
【００６８】
こうした場合において、ケーブル要素４は、第１の区域１５ａにおいて可動部分３ｂの内側縁１６、１７の間に戻されることができる一方、ケーブル要素５は、第２の区域１５ｂにおいて可動部分３ｂの内側縁１６、１７の間で戻されることができる。
【００６９】
図４は、本発明に従ったシューズ１の分解された翻案を示し、図４においては、単一の構成要素を観察することができる。
【００７０】
さらに、図４に明示された翻案において、可動部分３ｂは、２つの別個の部分３ｂｇ、３ｂｈで設けることができる。こうした別個の部分３ｂｇ、３ｂｈは、共成形、結合、溶接、またはその他任意の手段によって互いに固定することができる。
【００７１】
部分３ｂｇは、前方部であり、部分３ｂｇは、使用者の足の甲を実質的に覆う。
【００７２】
部分３ｂｈは周縁部であり、部分３ｂｈは、溝１５を備える。こうした部分３ｂｈは、シューズのために衝撃を吸収する働きをする。
【００７３】
部分３ｂｇ、３ｂｈは、組立てられたときに、可動部分３ｂを構成する。
【００７４】
タン部３ｂ、またはその一部分３ｂｇ、３ｂｈは、例えば、より多くの層または構成要素で取得されてもよく、それぞれが他のものと異なる硬度を有する材料で作られる。
【００７５】
例えば、タン３ｂの前方部、すなわち部分３ｂｇは、５０から７０のショア００硬度を有する柔軟な材料で作ることができ、タン３ｂの周縁部、すなわち部分３ｂｈは、７０から８０のショア００硬度を有する中程度に硬質な材料で作られてもよい。
【００７６】
固定部分３ａは、例えば、それぞれが他のものと異なる硬度を有する材料で作られたいくつかの層または構成要素で作られてもよい。
【００７７】
例えば、固定部分３ａ、または固定部分３ａの閉じた貝殻状の本体は、７０から８０のショア００硬度を有する中程度に柔軟な材料で作ることができ、ピニオン構成要素６、７が突出する、ラック要素９ａ、９ｂの適切な形状にされた滑動および誘導の領域、またはラック要素９ａ、９ｂの滑動および誘導の領域を定める突出部もしくは浮彫りの部分は、９５を超えるショア００硬度、または２２から３５のショアＤを有する硬質材料で作ることができる。
【００７８】
特に、シューズ１が、全体的に、縫い目を伴うことなく組み立てられ、縫い目は、公知のように、使用者の足に対する圧力要素を構成し、アッパー３の抵抗に関して重要な領域さえも構成することが気付かれるべきである。
【００７９】
ヒール８は、逃げ溝として働き、ヒール８は、ペダルを踏む間に、足の後方領域に特別な安定性を与える。
【００８０】
本発明の一局面に従って、シューズ１のアッパー３の表面１９は、複数のくぼみ２０を備える。
【００８１】
以下でより明確に観察されるように、くぼみ２０は、自転車の前進の際のペダルを踏む動きを行う間に空気によって影響を与えられるシューズ１のアッパー３の空気力学的抵抗を低減する機能を有する。
【００８２】
特に、くぼみ２０は、ペダルを踏む動きを行う間に空気によって影響を与えられるアッパー３の表面１９に乱流制限層の形成を促し、その乱流制限層は、層流制限層の場合において生じるよりも後で、表面１９から分離される。
【００８３】
したがって、シューズ１の動きは、層流制限層の場合において生成されるものよりも低い形状抗力を生成する。
【００８４】
このことが、抗力によって構成される空気力学的抗力成分を低減することを可能にする。
【００８５】
図面に表示された実施形態において、くぼみ２０は、アッパー３の前方領域に特に分布する。
【００８６】
さらに詳細には、くぼみ２０は、アッパー３の可動部分３ｂ上に分布する。
【００８７】
シューズ１の他の実施形態において、くぼみ２０はまた、アッパー３の固定部分３ａ上に分布することができる。
【００８８】
同じ実施形態において、アッパー３の可動部分３ｂにおいて設けられたくぼみ２０の一部は、貫通した開口部、すなわち何らかの種類の鳩目または窓によって構成される。
【００８９】
アッパー３を全体的に軽くすることと、アッパー３をより柔らかくすることに加えて、この特質はまた、サイクリストの足の蒸散を容易にする。
【００９０】
本発明の他の実施形態において、全てのくぼみ２０が、貫通する種類のものでなくてもよい。
【００９１】
くぼみ２０は、例えば、楕円形の形状、または実質的に多角形であり、くぼみ２０は、それらに限定されることなく、その他任意の適切な形状を有することができる。
【００９２】
特に、特に実用上の関心のある本発明の実施形態において、くぼみ２０は、シューズの長手方向軸に実質的に沿って、すなわち実質的に前方−後方の方向に沿って伸ばされた楕円形の形状または実質的に多角形の形状を有する。
【００９３】
シューズ１の空気力学的挙動との関連で特に重要である、アッパー３の前方領域において、くぼみ２０は、アッパー３の他の領域において予見された面積よりも大きい面積で作られる。
【００９４】
くぼみ２０のこれらの特定の構造および面積、ならびにシューズ１の長手方向軸に実質的に沿ったくぼみ２０の特定の配向は、アッパー３の表面において所望の乱流制限層を達成することに特に効果的にあることが実験的に証明されており、このことが、述べた通り、シューズ１の形状抗力を低減することを可能にする。
【００９５】
本発明の別の局面に従って、シューズ１のヒール８は、ペダルを踏むときに、シューズ１のアッパー３に打撃を与える空気を導くことに適した、ヒール８の厚み部分において、もたらされた（形成された）少なくとも１つのチャネル２１ａ、２１ｂを備えることにより、シューズ１の空気力学的抵抗をさらに低減する。
【００９６】
さらに詳細には、ヒール８は、アッパー３に打撃を与える空気を導くことに適した、ヒールの厚みにおいて達成された第１のチャネル２１ａと第２のチャネル２１ｂとを備える。
【００９７】
第１のチャネル２１ａと第２のチャネル２１ｂとは、ヒール８の外側と内側とにそれぞれ配列される。
【００９８】
チャネル２１ａとチャネル２１ｂとは、例えば、それぞれのブリッジ２２ａ、２２ｂによって画定され、それぞれのブリッジ２１ａ、２２ｂは、ヒール８自体によって形作られ、シューズ１のソール２の支持表面に対して実質的に垂直に配列される。
【００９９】
チャネル２１ａ、２１ｂの区域は、このように、実質的に狭く、やはりソール２の支持表面に対して垂直方向に長い。
【０１００】
チャネル２１ａ、２１ｂの区域は、所望の空気流条件を取得するような方法で、チャネル２１ａ、２１ｂの一方の端から他方の端へ変化することができ、例えば、収束区域が、チャネル２１ａ、２１ｂに沿った空気の移動の間に、空気の加速を生じさせることができ、ヒール８の区画に向かって空気を伝える際に有利な効果を有する。
【０１０１】
ラック要素９ａ、９ｂが、固定部分３ａの閉じた貝殻状の本体によって定められる領域において滑動可能に設置されていない場合においては、締付け／解放の手段４、５のラック要素９ａ、９ｂが、チャネル２１ａ、２１ｂに滑動可能に設置されてもよい。
【０１０２】
この解決策は、ヒール８において利用可能な表面の使用を最適化し、ラック要素９ａ、９ｂを適切に保護することを可能にする。
【０１０３】
他の実施形態において、ラック要素９ａ、９ｂは、異なる用途の必要性に応じて、ヒール８の表面の他の領域に配列することができる。
【０１０４】
ブリッジ２２ａ、２２ｂは、制御手段６、７を損傷し得ることが考えられる衝撃、または使用者によって設定された位置を偶然変え得ることが考えられる衝撃から、制御手段６、７、特に、頭部６ａ、７ａの区画を保護する重要な機能も有する。
【０１０５】
シューズ１はまた、ヒールピース３０を備える。
【０１０６】
ヒールピース３０は、シューズのソール２と一体である。
【０１０７】
ヒールピース３０は、特定の必要性に応じて、例えば、ポリマー材料、または複合材料、あるいはその他任意の適切な材料で作られてもよい。
【０１０８】
したがって、ヒールピース３０の材料は、ソール２が作られる材料とは異なることが好ましい。しかしながら、本発明の一部の実施形態において、ヒールピース３０とソール２とは、同じ材料で作られることもできる。
【０１０９】
ヒールピース３０は、シューズのソール２の下側面２ａと接続されるような形状と厚みとを有する。
【０１１０】
言い換えると、ヒールピース３０は、ソール２の下側面２ａと並んで連続的な表面を画定するように、他の種類のシューズのように、ソール２の下側面２ａに対して突出しない。
【０１１１】
これは、シューズ１の全体的な空気力学的抵抗を低減することに寄与する。
【０１１２】
本発明の別の局面に従って、ヒールピース３０は、それぞれのチャネリング（偏流）３１を備え、それぞれのチャネリング（ふき抜け）３１は、シューズ１の全体的な空気力学的抵抗を低減する目的で、事前に設定された経路を通って空気を伝える。
【０１１３】
チャネリング３１は、例えば、第１の分枝３２と第２の分枝３３とを備える。
【０１１４】
チャネリング３１の第１の分枝３２と第２の分枝３３とは、ヒールピース３０の側面、すなわち、ヒールピース３０の外側および内側においてそれぞれ設けられた第１の開口部３２ａと第２の開口部３３ａとにおいてそれぞれ開いている。第１の分枝３２と第２の分枝３３とは、図７に概略的に示されるように、ヒールピース３０の単一の後方排出部３４と連通する。
【０１１５】
しかしながら、ヒールピース３０のチャネリング３１は、ヒールピース３０の後方領域に向かって空気を効率的に伝えることを保証することに適したその他任意の形状のものであってもよいことが明確である。
【０１１６】
第１の分枝３２の区域と第２の分枝３３の区画とは、一定であり得るか、または第１、第２の開口部３２ａ、３３ａから後方排出部３４に向かって可変であり得る。
【０１１７】
第１の分枝３２の区画および第２の分枝３３の区画の開発は、ヒールピース３０の領域における、シューズ１の空気力学的挙動に明らかに影響を与え、例えば、収束区域は、チャネル３１に沿った空気の経路において空気の加速をもたらし得、ヒール８の領域に向かった空気の伝達に有利な効果を有する。
【０１１８】
図５、６は、ペダルを踏む動きを行う間に、シューズ１のアッパー３に打撃を与える空気の流れをそれぞれ横方向で、そして後方部で概略的に示す。
【０１１９】
概略図において観察できるように、空気は、アッパー３の前方部Ｆに打撃を与え、くぼみ２０の存在により、アッパー３の表面１９に、乱流制限層を生成し、乱流制限層は、流体脈Ｖが表面１９から離れないことを保証する。
【０１２０】
この効果は、少なくとも、アッパー３の前方領域において保証されるが、アッパー３の後方領域においては、流体脈の脱離が容易に生じることがあり得、空気力学的抵抗の増加を結果としてもたらす。
【０１２１】
その代わりに、ヒール８におけるチャネル２１ａ、２１ｂの存在だけでなく、ヒールピース３０におけるチャネル３１の存在が、示されるように、流体脈の相当量の脱離を生じさせることなく、アッパー３の後方部Ｒに向かって流体脈Ｖを導くことを可能にする。
【０１２２】
この効果は、アッパー３の後方部Ｒの全領域において得られ、特に、ヒールピース３０の領域においても得られ、ヒールピース３０の領域だけが明らかに、ペダルを踏む動きを行う間の空気の流れによる打撃を受けない。
【０１２３】
このように、全体的な結果は、公知の種類のサイクリングシューズと比較して、シューズ１の形状抗力をかなり低減させるものである。
【０１２４】
アッパー３の前方領域におけるくぼみ２０の存在により、摩擦抵抗の増加は、シューズ１の形状抗力の上記の低減によって大幅に補償されるので、公知のように、摩擦抵抗と形状抗力との両方の寄与によって影響を与えられる全体的な空気力学的抵抗は、かなり低減される。
【０１２５】
容易に理解できるように、ペダルを踏むことを行う際の、シューズ１のアッパー３の空気力学的抵抗の低減は、人間−自転車系の前進の間に、中央の運動の領域において生じる複雑な乱流現象を制限することにかなり寄与する。
【０１２６】
このように、人間−自転車系の空気力学的性能を増加させ、例えば、これは、プロのレースで特に重要である。
【０１２７】
シューズ１のソール２において、前方部分において、公知の種類の自転車のペダルにソール２を迅速に結合するデバイスに接続するための手段３５が設けられてもよい。
【０１２８】
接続手段３５は、例えば、ネジを切られた穴によって構成されてもよく、ネジを切られた穴においては、迅速に結合するデバイスのそれぞれのネジが係合され得る。
【０１２９】
本発明に従ったシューズ１の別の実施形態が、図８に詳細に示される。
【０１３０】
シューズ１のこの実施形態は、シューズ１の特性の大部分に関して、図１〜図７の実施形態と同一であり、ヒールピース３０がソール２から取外し可能である事実だけに違いがある。
【０１３１】
さらに詳細には、シューズ１はソール２にヒールピース３０を固定するための手段６０を備える。
【０１３２】
固定手段６０は、例えば、ヒールピース３０に設けられた貫通孔６２に挿入されたネジ６１を備え、ネジ６１は、ソール２の後方部に設けられた雌ネジ６３で係合される。
【０１３３】
他の実施形態において、固定手段６０は、例えば、結合する種類のものなどであり得、例えば、ソール２の後方領域に設けられた対応する座部において嵌るように係合される、ヒールピース３０の上表面に設けられた少なくとも１つの付属器、または逆に、ヒールピース３０の上表面に設けられたそれぞれの座において嵌るように係合される、ソール２の後方領域に設けられた少なくとも１つの付属器を備える。
【０１３４】
さらに一般的には、固定手段６０は、ヒールピース３０とソール２との間の安全な接続を保証することに適した任意の種類のものであることができ、それにより、不慮の脱離を回避する。
【０１３５】
取外し可能なヒールピース３０を受入れるために、ソール２は、ソールの下側面２ａの後方領域において設けられるくぼみ６４を備える。
【０１３６】
固定手段６０は、使用者が、ソール２からヒールピース３０を容易に取外すことを可能にする。
【０１３７】
例えば、ヒールピース３０は、歩くときに摩耗を最も受ける、シューズ１の領域の１つであることが公知である。
【０１３８】
シューズ１が、自転車での使用を主に想定される場合には、ヒールピース３０の摩耗は、摩耗が幾何形状的特性を脅かす（喪失させる）ことにより空気力学的挙動をも脅かし（喪失させる）得る点で、とりわけ本発明の場合において、特に望ましくない。
【０１３９】
したがって、使用者もまた、ヒールピース３０を新しいものと交換する必要がある場合があるか、または使用者は、例えば、より柔らかい、より堅い、より高い、またはより低いなどの異なる特性を有する別のものとヒールピース３０を交換する必要がある場合がある。
【０１４０】
固定手段６０の存在が、ヒールピース３０を取外し、ヒールピース３０を別のものと交換する動作を特に迅速にし容易にする。
【０１４１】
本発明に従ったシューズの別の実施形態が、図９、図１０に示される。
【０１４２】
この実施形態において、シューズ１は、先の実施形態のものとほぼ完全に同一であり、ヒールピース３０をソール２に固定するための手段６０にだけ違いがある。
【０１４３】
さらに詳細には、この実施形態において、固定手段６０は、ヒールピース３０に設けられた少なくとも１つの付属器６５を備え、付属器６５は、ソール２、特にくぼみ６４に設けられた対応する座（座部）６６に取外し可能に係合されることに適する。
【０１４４】
付属器６５は、ヒールピース３０の上側面に設けられる。
【０１４５】
付属器６５と座６６とは、シューズ１の後方部Ｒから付属器６５を座６６の中に挿入することを可能にするように構成された断面を有してもよい。
【０１４６】
例えば、図９、１０に表示された実施形態において、付属器６５と座６６とは、蟻継形状を形成するように実質的に構成された断面を有する。
【０１４７】
付属器６５は、ヒールピース３０の全長を越えて実質的に延伸する。
【０１４８】
しかしながら、他の実施形態において、付属器６５は、ヒールピース３０の長さの部分を延伸できるだけか、または付属器６５は、座６６における挿入の方向に沿って並べられた複数の不連続な区域によって構成できる。
【０１４９】
付属器６５の形状と、それに対応するように、座６６の形状とは、様々な設計および使用の要件に従って、実際には異なり得る。
【０１５０】
本発明に従ったシューズ１の別の実施形態が、図１１、図１２に示される。
【０１５１】
この実施形態において、シューズ１は、ソール２にヒールピース３０を固定するための手段６０を形成するために、図９、図１０の実施形態のシューズ１とは異なる。
【０１５２】
さらに詳細には、固定手段６０は、ソール２、特にくぼみ６４に設けられる少なくとも１つの付属器６５を備え、付属器６５は、ヒールピース３０において設けられる対応する座６６において取外し可能に係合されることに適する。
【０１５３】
特に、座６６は、ヒールピース３０の上側面に設けられる。
【０１５４】
付属器６５と座６６とは、シューズ１の後方部Ｒから付属器６５を座６６の中に挿入することを可能にするような形状にされた断面を有してもよい。
【０１５５】
例えば、図１１、図１２に表示された実施形態においても、付属器６５と座６６とは、蟻継形状を形成するように実質的に構成された断面を有する。
【０１５６】
付属器６５は、ソール２の下側面２ａの後方領域の全長を越えて実質的に延伸する。
【０１５７】
他の実施形態において、付属器６５は、座６６における挿入の方向に沿って並べられた複数の不連続的な区域によって構成され得る。
【０１５８】
またこの場合において、付属器６５の形状と、それに対応するように、座６６の形状とは、異なる設計および使用の要件に応じて、実際には様々な形状にすることができる。
【０１５９】
図９〜図１２の実施形態において、気付くことができるように、２つの部分の間で、単純な形状の結合が存在する場合には、保守および／または交換の動作のためにソール２からヒールピース３０を取外すことが、工具を使用することなく行われてもよい。
【０１６０】
図１３〜図１７は、公知の種類の一部のサイクリングシューズの空気力学的模擬によって達成された結果の一部の代表的な写真を示し、その空気力学的模擬は、特定のソフトウェアツールを使用してコンピュータで行われる。
【０１６１】
他方、図１８、図１９は、本発明に従ったシューズ１を対象として有する同じ種類の空気力学的模擬によって達成された結果の一部の代表的な写真を示す。
【０１６２】
特に、空気力学的模擬によって達成された結果は、シューズを囲む領域における空気の速度と、シューズの周りの流体脈Ｖの経路とを参照して以下で分析される。
【０１６３】
例えば、図１３、図１４は、前方部Ｆにおいて予見されたアッパーの閉鎖手段Ｃを有する公知の種類のサイクリングシューズの空気力学的模擬を示す。
【０１６４】
特に、図１３、図１４は、異なる角度から観察された同じシューズに言及する。
【０１６５】
模擬のために選択された風速である、靴を包まない流体脈の速度値Ｖ１を基準値として取ると、逆に直接シューズを包む流体脈は、主にシューズの側面の周りで、そしてシューズのソールの縁の付近でもＶ１よりも大きい速度の値Ｖ２をとることが観察され、同じ流体脈がゼロ速度Ｖ３または実質的にゼロ速度をとるまで、同じ流体脈は、それらの流体脈がシューズ自体の後方部Ｒに到達したときに、かなり減速し、かなりの乱流の形成を伴い、乱流の形成は、述べられたように、特に歓迎されない現象である。
【０１６６】
図１５は、公知の種類の別のサイクリングシューズを対象として有する空気力学的模擬の結果に言及する。
【０１６７】
またこの場合において、シューズは、前方部Ｆにおいて予見されるアッパーの閉鎖手段Ｃを有する。
【０１６８】
観察できるように、この模擬の結果は、図１３、図１４のシューズに関する結果と非常に類似し、この場合においても、シューズの後方部Ｒのそばで、相当量の乱流現象の形成を伴う。
【０１６９】
図１６、図１７は、公知の種類のさらに別のサイクリングシューズを対象として有する空気力学的模擬を示し、そのサイクリングシューズは、ここでもやはり、前方部Ｆにおいて予見されるアッパーの閉鎖手段Ｃを備える。
【０１７０】
ここでもやはり、模擬の結果は、シューズの後方部Ｒのそばで明白な望ましくない乱流現象を示し、ゼロであるか、またはゼロに近い流体脈の速度Ｖ３を有する。
【０１７１】
他方、図１８、図１９は、本発明に従ったシューズ１で行われた空気力学的模擬の結果に言及する。
【０１７２】
観察され得るように、空気力学的模擬の結果は、公知の種類のシューズで達成された結果（図１３〜図１７）とは著しく異なる。
【０１７３】
実際、（速度Ｖ２を有する）流体脈の加速が、シューズ１の周りの領域で達成され、その領域は、特に、シューズ自体の側面に沿って、非常に広い。
【０１７４】
この最初の結果は、当然非常に興味深い。なぜならば、この結果は、シューズ１の最適な空気貫通を意味するからである。
【０１７５】
さらに、またさらに明らかなことは、シューズ１の後方部Ｒのそばでの乱流現象の低減である。言い換えると、ゼロであるか、またはゼロに近い値Ｖ３への流体脈の速度の、後方部Ｒのそばでの低減が、明らかにより制限される。
【０１７６】
これは、本発明に従ったシューズ１の空気力学的挙動が、公知の種類のシューズと比較して、非常に改善され、洗練されたことを非常に明らかに示す。
【０１７７】
このように、本発明は、設定された目的を達することが観察される。
本発明は、特許請求の範囲によって定義される保護の範囲内に入る他の改変および変更に供されてもよい。
【図１】
0006742244.tif 000003
【図２】
0006742244.tif 000004
【図３】
0006742244.tif 000005
【図４】
0006742244.tif 000006
【図５】
0006742244.tif 000007
【図６】
0006742244.tif 000008
【図７】
0006742244.tif 000009
【図８】
0006742244.tif 000010
【図９】
0006742244.tif 000011
【図１０】
0006742244.tif 000012
【図１１】
0006742244.tif 000013
【図１２】
0006742244.tif 000014
【図１３】
0006742244.tif 000015
【図１４】
0006742244.tif 000016
【図１５】
0006742244.tif 000017
【図１６】
0006742244.tif 000018
【図１７】
0006742244.tif 000019
【図１８】
0006742244.tif 000020
【図１９】
0006742244.tif 000021